(57)【要約】【課題】端部からの漏水対策及び、開閉時間の短縮が可能な防潮・防波堤を提供すること。【解決手段】水路の両側にそれぞれアンカレイジ（基礎）２Ｒ、２Ｌを設け、同両側の基礎間には、各基礎に端部を係止され、深さ方向全水深に亘って伸びると共に幅方向で前記両側の基礎間に亘って延びる膜構造物１を設け、該膜構造物１は、膜体と、膜体の長手方向に亘って設けられ、深さ方向に複数並んで設けられたケーブル１ｂとを備え、前記ケーブル１ｂのうちの少なくともいくつかは、両端部がまとまって前記アンカレイジ２Ｒ、２Ｌに固定されることを特徴とする。【選択図】      図１
2004176453.tif 000002
【特許請求の範囲】
【請求項１】
水路の両側にそれぞれ基礎を設け、同両側の基礎間には、各基礎に端部を係止され、深さ方向全水深に亘って伸びると共に幅方向で前記両側の基礎間に亘って延びる膜構造物を設け、
該膜構造物は、膜体と、膜体の長手方向に亘って設けられ、深さ方向に複数並んで設けられたケーブルとを備え、
前記ケーブルのうちの少なくともいくつかは、両端部がまとまって前記基礎に固定されることを特徴とする防潮・防波堤。
【請求項２】
水路の両側にそれぞれ基礎を設け、同両側の基礎間には、各基礎に端部を係止され、深さ方向全水深に亘って伸びると共に幅方向で前記両側の基礎間に亘って延びる膜構造物を設け、
該膜構造物は、膜体と、膜体の長手方向に亘って設けられたケーブルとを備え、前記膜体は前記ケーブルよりも長手方向に長く、前記ケーブル両端が前記基礎に固定されていることを特徴とする防潮・防波堤。
【請求項３】
水路の両側にそれぞれ基礎を設け、同両側の基礎間には、各基礎に端部を係止され、深さ方向全水深に亘って伸びると共に幅方向で前記両側の基礎間に亘って延びる膜構造物を設け、
前記基礎には、前記膜構造物端部を背面から支持する支持部材が設けられていることを特徴とする防潮・防波堤。
【請求項４】
水路の両側にそれぞれ基礎を設け、同両側の基礎間には、各基礎に端部を係止され、深さ方向全水深に亘って伸びると共に幅方向で前記両側の基礎間に亘って延びる膜構造物を設け、
前記膜構造物は、中央部において左右に分割、固定可能であることを特徴とする防潮・防波堤。
【発明の詳細な説明】
【０００１】
【発明の属する技術分野】
本発明は、防潮・防波堤に関する。
【０００２】
【従来の技術】
図７〜図１０に従来の防潮・防波堤の構成を示した。従来の防潮・防波堤では、海側と川側の境界位置において、川を挟んで左右両側で海に面して配置された防波堤３Ｒ、３Ｌは、川の両側で対峙する両端位置にそれぞれアンカレイジ２Ｒ、２Ｌを設け、同アンカレイジ２Ｒ、２Ｌに端部を係止されてその間に延び、前記防波堤３Ｒ，３Ｌで入口を規制された水路を開閉する遮蔽体となる膜構造物１を設けている。
そしてこの膜構造物１は、図９，図１０に示すように、軸剛性抵抗を受けるケーブルワイヤ１ｂを上下方向（水深方向）で互いに所定間隔離して複数本配置し、各ケーブルワイヤ１ｂを支持すべく複数の梁部材１ｃ（鉄鋼材、樹脂材等）をケーブルワイヤ１ｂの長手方向で所定間隔離した位置で水深方向に伸ばして各ケーブルワイヤ１ｂと直交させて設け、同ケーブルワイヤ１ｂと梁部材１ｃを係止させ、これにテフロン（登録商標）膜、アラミド繊維、ＦＲＰ等の材質で形成した膜部材１ａを海側より張り付く形に係止させ、テンション構造で構成している。
【０００３】
左右両側の防波堤３Ｒ，３Ｌで入口を規制した水路を閉塞したときには、図７に示すように、潮流の関係から展張された膜構造物には図示矢印方向からの水圧を受ける。
その断面内の水圧に対しては、前記膜部材１ａで支持させ、その水圧により生ずる軸方向（水路幅方向）への引張力はケーブルワイヤ１ｂで受け、その引張力に対向させるべく反力（図中矢印）に対してはアンカレイジ２Ｒ、２Ｌにより支持する（例えば、特許文献１参照。）。
【０００４】
【特許文献１】
特開２０００−２８２４３４号公報  （第３頁、第１図）
【０００５】
【発明が解決しようとする課題】
このように構成された上記従来の防潮・防波堤は、締め切る部分が航路であることを考慮すると、なるべく最小限の時間で開閉できる構造であることが望まれている。しかし、水圧を受けつつ膜構造物をアンカレイジ２Ｒ、２Ｌに取り付けなければならないため、作業が容易ではなく、時間がかかってしまうという問題があった。
【０００６】
また、水路を閉じる作業を行う際に、ケーブルワイヤ１ｂ端部とアンカレイジ２Ｒ、２Ｌとの間の水漏れを防止するのが難しく、水漏れ防止作業に時間がかかり、水路を閉じる作業に時間がかかってしまうという問題があった。
【０００７】
本発明は上記事情に鑑みて成されたものであり、端部からの漏水対策及び、開閉時間の短縮が可能な防潮・防波堤を提供することを目的とする。
【０００８】
【課題を解決するための手段】
請求項１に記載の防潮・防波堤は、水路の両側にそれぞれ基礎を設け、同両側の基礎間には、各基礎に端部を係止され、深さ方向全水深に亘って伸びると共に幅方向で前記両側の基礎間に亘って延びる膜構造物を設け、該膜構造物は、膜体と、膜体の長手方向に亘って設けられ、深さ方向に複数並んで設けられたケーブルとを備え、前記ケーブルのうちの少なくともいくつかは、両端部がまとまって前記基礎に固定されることを特徴とする。
【０００９】
膜構造物を広げて水路を締め切る際には、各ケーブルの端部を基礎に取り付ける作業を行う。この発明においては、各ケーブルをそれぞれ基礎に取り付けるより、いくつかをまとめて取り付けることができるから、取り付け作業に要する時間が短縮する。
【００１０】
請求項２に記載の防潮・防波堤は、水路の両側にそれぞれ基礎を設け、同両側の基礎間には、各基礎に端部を係止され、深さ方向全水深に亘って伸びると共に幅方向で前記両側の基礎間に亘って延びる膜構造物を設け、
該膜構造物は、膜体と、膜体の長手方向に亘って設けられたケーブルとを備え、前記膜体は前記ケーブルよりも長手方向に長く、前記ケーブル両端が前記基礎に固定されていることを特徴とする。
【００１１】
この発明においては、ケーブル端部と基礎との間に生じる隙間が、ケーブルより長い膜体部分により被われる。したがって、特別な処理を施さなくても、確実に水漏れを防ぐことができるから、取り付け作業時間が短縮化する。
【００１２】
請求項３に記載の防潮・防波堤は、水路の両側にそれぞれ基礎を設け、同両側の基礎間には、各基礎に端部を係止され、深さ方向全水深に亘って伸びると共に幅方向で前記両側の基礎間に亘って延びる膜構造物を設け、
前記基礎には、前記膜構造物端部を背面から支持する支持部材が設けられていることを特徴とする。
【００１３】
この発明においては、膜構造物と支持部材とが密着することにより、ケーブル端部と基礎との間に生じる隙間を解する水漏れを防ぐことができる。したがって、特別な処理を施さなくても、確実に水漏れを防ぐことができるから、取り付け作業時間が短縮化する。
【００１４】
請求項４に記載の防潮・防波堤は、水路の両側にそれぞれ基礎を設け、同両側の基礎間には、各基礎に端部を係止され、深さ方向全水深に亘って伸びると共に幅方向で前記両側の基礎間に亘って延びる膜構造物を設け、前記膜構造物は、中央部において左右に分割、固定可能であることを特徴とする。
【００１５】
この発明では、両側からそれぞれ半分の長さの膜構造物を曳航などにより水路中央部に広げ、互いに固定する。長さが半分であるから、従来より広げる時間が短くて済む。
【００１６】
【発明の実施の形態】
次に、本発明の第１実施形態について図面を参照して説明する。なお、従来と同一の構成については同一の符号を用い、その説明を省略する。
図１は本実施形態の防潮堤であり、符号１ｂはケーブルワイヤである。なお、他の構成（膜部材１ａ等）は省略してある。
図のように、上下隣り合っているケーブルワイヤ１ｂの両端がまとまり、それぞれ１個所でアンカレイジ２Ｒ、２Ｌに固定されている。各ケーブルワイヤ１ｂは滑らかな曲線を描いた状態で膜部材１ａに固定されている。
このように構成されていることにより、各ケーブルをそれぞれ基礎に取り付けるより、いくつかをまとめて取り付けることができるから、取り付け作業に要する時間を短縮することができる。
なお、上記の例のようにケーブルワイヤ１ｂの端部を二つずつにまとめても良いし、それ以上でまとめても良い。
【００１７】
次に、本発明の第２実施形態の防潮堤について図面を参照して説明する。なお、従来と同一の構成については同一の符号を用い、その説明を省略する。
本実施形態の防潮堤は港内と港外との境界に設けられたものである。
図２において、符号５はケーブルワイヤ１ｂの端部に設けられたフックである。ケーブルワイヤ１ｂは膜部材１ａより短い構成とされている。すなわち、ケーブルワイヤ１ｂの長手方向外方には、膜部材１ａの余剰部分６ができる。
なお、図２に示したように膜部材１ａの長さをケーブルワイヤ１ｂより長くしても良いし、図３のように、膜部材１ａの一側面の端部に、膜部材１ａの端部から長手方向に延びる補助膜部材７を設け、膜部材１ａと補助膜部材７とを合わせた長さがケーブルワイヤ１ｂより長くなるようにしても良い。
このように構成された本実施形態の防潮堤では、図４に示したように、フック５をアンカレイジ２Ｒ、２Ｌに設けられた係止金具１０に係止させる。そうすると、膜部材１ａの余剰部分６または補助膜部材７がケーブルワイヤ１ｂとアンカレイジ２Ｒ、２Ｌとの間の隙間を被い、水圧によりアンカレイジ２Ｒ、２Ｌに押し付けられ、港外側から港内側への水漏れが防止される。一方、逆に港内側の水位が港外より高くなった場合には、余剰部分６または補助膜部材７がアンカレイジ２Ｒ、２Ｌから離脱して隙間が生じるから、港内の水を港外に逃がすことができる。
このように、本実施形態では、何ら特別な処理を施さなくても、容易に水漏れを防ぐことができるから、取り付け作業が短縮化する。
【００１８】
また、図２のように、ケーブルワイヤ１ｂよりも長い膜部材１ａを取り付けた場合、水圧によって両端のアンカレイジ２Ｒ、２Ｌに膜部材１ａが押し付けられることで、ケーブルワイヤ１ｂの両端部からの水漏れが防止される。実際には、ケーブルワイヤ１ｂに作用する荷重が大きいことからフック５は非常に大きなものになる可能性があり、膜部材１ａとケーブルワイヤ１ｂが接合されていない区間が長くなり、水漏れを防ぐために、膜部材１ａを十分に長くする必要がある。
【００１９】
さらに、図３のように、膜部材１ａを、膜部材１ａと補助膜部材７とに分け、ケーブルワイヤ１ｂに取り付ける膜部材１ａを少し短めに設定し、アンカレイジ２Ｒ、２Ｌ側に補助膜部材７を取り付ければ、補助膜部材７は、膜部材１ａに比べて長さが短いために自由度が拘束され、膜部材１ａに張り付きやすく、膜部材１ａと補助膜部材７との間からの水漏れを低減することができる。また、膜部材１ａの長さを短くすることで、ケーブルワイヤ１ｂの取り扱い性が容易になり、展張時間の短縮が可能となる。
【００２０】
なお、変形例として図５のように構成しても良い。アンカレイジ２Ｒ、２Ｌには、膜構造物１を背面から支持する支持部材１１が設けられている。支持部材１１の膜構造物１側は滑らかな凹曲面１１ａにより構成されている。
このように構成されていることにより、水圧により膜構造物１は支持部材１１に押圧されると、支持部材１１と密着し、港外側から港内側への水漏れを防ぐことができる。
【００２１】
次に、本発明の第３実施形態について図面を参照して説明する。なお、従来と同一の構成については同一の符号を用い、その説明を省略する。
図６に示したように、水路の中央部に柱体１５を設ける。膜構造物１は、中央部において左右に分割されており、それぞれ柱体１５に着脱可能となっている。
このように構成された本実施形態においては、膜構造物１を以下のように展張する。左右の膜構造物（それぞれ１−１，１−２とする）の端部をそれぞれ曳航船（図８参照）により両岸から水路中央部に移動させる。そして、膜構造物１−１，１−２をそれぞれ柱体１５に固定する。
このように構成することにより、従来より半分の長さの膜構造物１−１，１−２を展張することとなるので、従来よりも展張作業を短くすることができる。
【００２２】
なお、以上各実施形態が適用される場所は、港内と港外との境界に限らず、水路であれば、いかなる場所（河川、運河など）であっても良いのはもちろんである。
また、上記各実施形態の防潮堤を防波堤として適用することも可能である。
さらにまた、上記各実施形態を適宜組み合わせて用いても良いのはもちろんである。
【００２３】
【発明の効果】
以上説明したように、本発明においては以下の効果を得ることができる。
請求項１に記載の発明によれば、複数のケーブルのうち、いくつかをまとめて取り付けることができるから、取り付け作業に要する時間を短縮することができる。
請求項２および３に記載の発明によれば、特別な処理を施さなくても、確実に水漏れを防ぐことができるから、取り付け作業が簡略化され、作業時間を短縮することができる。
請求項４に記載の発明によれば、従来より半分の長さの膜構造物を展張することとなるので、従来よりも展張作業を短くすることができる。
【図面の簡単な説明】
【図１】本発明の第１実施形態として示した防潮堤の概略斜視図である。
【図２】本発明の第２実施形態として示した防潮堤に用いられる膜構造物の端部を示した部分拡大図である。
【図３】同膜構造物の変形例を示した部分拡大図である。
【図４】同膜構造物の使用状態を示した防潮堤の部分拡大図である。
【図５】同膜構造物の変形例について、使用状態を示した防潮堤の部分拡大図である。
【図６】本発明の第３実施形態として示した防潮堤の概略斜視図である。
【図７】従来の防潮・防波堤の平面図である。
【図８】同防潮・防波堤の格納時の状態を示した図である。
【図９】同防潮・防波堤の側断面図である。
【図１０】同防潮・防波堤の部分を示した正面図である。
【符号の説明】
１  膜構造物
１ａ  膜体
２Ｒ、２Ｌ  アンカレイジ
１１  支持部材
【図１】
2004176453.tif 000003
【図２】
2004176453.tif 000004
【図３】
2004176453.tif 000005
【図４】
2004176453.tif 000006
【図５】
2004176453.tif 000007
【図６】
2004176453.tif 000008
【図７】
2004176453.tif 000009
【図８】
2004176453.tif 000010
【図９】
2004176453.tif 000011
【図１０】
2004176453.tif 000012